(57)【要約】【課題】カメラの前面カバー及び背面カバーを金属で射出成形する際に、開口の周囲に湯ジワ等の成形不良が発生するのを防止する。【解決手段】背面カバー５４を金属で射出成形する際に、湯ジワが発生しやすい開口を一緒に形成せず、射出成形後の後加工で開口を形成する。開口を形成する後加工が行いやすくなるように、射出成形時に開口の輪郭に沿って肉が薄くされた凹部７７を形成する。凹部７７は、開口の全周、または一部、あるいはスリットと組み合わせることもできる。【選択図】図７
2008097025.tif 000002
【特許請求の範囲】
【請求項１】
各種撮影機能部品が組み込まれたカメラ本体の前面側と背面側とを、一端側に設けられたゲートから溶融金属が流し込まれる金型により射出成形された金属製の前面カバーと背面カバーとで覆ったカメラにおいて、
前記前面カバーまたは背面カバーに形成された開口であって、前記溶融金属が前記金型内を流れる際の湯流れ方向に沿う面に形成されている前記開口は、前記射出成形後の後加工により形成されていることを特徴とするカメラ。
【請求項２】
前記射出成形時に、前記開口の輪郭に沿って凹部が形成されていることを特徴とする請求項１記載のカメラ。
【請求項３】
前記開口は略矩形状であり、前記湯流れ方向に沿う辺にスリットが形成され、前記湯流れ方向に直交する辺が薄肉化されていることを特徴とする請求項１記載のカメラ。
【発明の詳細な説明】
【技術分野】
【０００１】
本発明は、射出成形された金属製の前面カバー及び背面カバーを用いたカメラに関する。
【背景技術】
【０００２】
カメラは、撮影レンズ等の各種撮影機能部品をフレームに組み込んだカメラ本体と、このカメラ本体を前後から覆ってカメラの外観デザインを構成する前面カバー及び背面カバーとからなる。近年では、金属特有の手触りや重量感，高級感がユーザーに好まれ、金属製の前面カバーと背面カバーとを使用したカメラが種々販売されている。また、前面カバー等に設けた開口を隠すため、前面カバー等に別部品が取り付けているカメラも知られている（例えば、特許文献１〜３参照）。
【０００３】
前面カバー及び背面カバーに使用される金属には、軽量で充分な強度を持ち、高級感を備えていることから、マグネシウムやアルミニウム等が使用されている。これらの金属は、複雑な形状を形成することのできるチクソモールド法やダイカスト法等の射出成形を用いて、前面カバー及び背面カバーに形成される。
【０００４】
前面カバー及び背面カバーには、レンズ鏡筒やファインダ等の各種撮影機能部品を露呈させるための開口が設けられている。このような開口のある部品を射出成形で形成すると、開口の湯流れ方向の下流側の部位に湯ジワやショートモールド等が発生する。成形不良個所や、射出成形時のゲート部やオーバーフロー部は、射出成形後にプレス加工やフライス加工等の仕上げ加工を行うことで、外観品質が向上されている。
【特許文献１】特開平０７−０６７００７号公報
【特許文献２】特開平０９−２１１６２８号公報
【特許文献３】実開昭５７−１６４７３３号公報
【発明の開示】
【発明が解決しようとする課題】
【０００５】
金属製の前面カバー及び背面カバーは、プラスチック製の前面カバー及び背面カバーに比べて強度が高く、高級感があるという利点があるが、コストが高いという問題があった。金属製の前面カバー及び背面カバーのコストを上昇させている要因は、射出成形後に行われる仕上げ加工にある。
【０００６】
また、カメラには、内部に収納される撮影機能部品を押さえ、あるいは保持するために、前面カバーと背面カバーとのぞれぞれの内壁面に、リブやボスが一体に形成されている。しかしながら、このリブやボスが、例えば３０ｍｍ程度の長いものである場合、アルミニウムやマグネシウム等の金属では、射出成形時にショートモールドが発生し、あるいは離型時に折れてしまう等の不良が発生しやすくなる。
【０００７】
更に、カメラの底面では、内部の部品配置による都合や、前面カバーと背面カバーとの勘合性を高める等の理由から、前面カバーと背面カバーとの合わせ目が段違いに形成されることが多い。しかしながら、ゲートから流れ込んだ金属は、湯流れ方向が急角度で変化すると渦を巻きやすくなり、その渦の中心部に金属が充分に流れ込まず、ピンホールや凹部が形成されてしまうことがある。
【０００８】
本発明は、上記問題点を解決するためのもので、ローコストでありながら、外観品質の良い金属製の前面カバー及び背面カバーを用いたカメラを提供することを目的とする。
【課題を解決するための手段】
【０００９】
上記問題点を解決するために、本発明のカメラは、前面カバーまたは背面カバーの湯流れ方向に沿う面に形成される開口を射出成形後の後加工により形成している。更に、後加工によって開口を形成しやすくするため、射出成形時に開口の輪郭に沿って凹部を形成している。なお、開口の湯流れ方向に沿う辺にスリットを形成し、湯流れ方向に直交する辺を薄肉化してもよい。
【発明の効果】
【００１０】
本発明のカメラによれば、射出成形で開口を形成しないので、開口の湯流れ方向の下流側に発生する成形不良を防止することができる。
【発明を実施するための最良の形態】
【００１１】
図１及び図２は、本発明を実施した電子スチルカメラ２（以下、カメラと省略する）の不撮影時及び撮影時の状態を示す外観斜視図である。カメラ２の前面には、ズーム光学系を構成する撮影レンズ３が配置されている。この撮影レンズ３は、カメラ２が撮影状態にある際に前方に向けて突出され、不撮影状態にある際に沈胴されるレンズ鏡筒４に組み込まれている。
【００１２】
撮影レンズ３の周囲には、対物側ファインダ窓６と、測距用投光窓７及び測光用受光窓８とが配置されている。測距用投光窓７の奥には、被写体に向けて赤外線等の測距光を照射する投光器が組み込まれており、被写体で反射した測距光は、撮影レンズ３の奥に組み込まれた測距用受光センサで受光される。測光用受光窓８の奥には、被写体の輝度を測定する測光センサが組み込まれている。
【００１３】
また、レンズ鏡筒４の外周には、円環形状の化粧リング１０が取り付けられている。この化粧リング１０は、取り外し可能とされており、化粧リング１０の代わりにコンバータレンズ等を取り付けられるようになっている。化粧リング１０の側方には、化粧リング１０をカメラ２から取り外す際に、化粧リング１０を固定しているロックを解除する解除ボタン１１が配置されている。
【００１４】
カメラ２の前面側方には、カメラ２の保持に使用されるグリップ部１３が設けられている。このグリップ部１３の内部には、カメラ２の電源電池が収納される電池室が設けられており、グリップ部１３の底面には、電池室を開閉する電池蓋１４が設けられている。グリップ部１３の上面には、測距，測光時に反押しされ、シャッタレリーズ時に深く押し込まれるシャッタボタン１５が設けられている。
【００１５】
カメラ２の上面で、シャッタボタン１５の近傍には、モード設定ダイヤル１７と、情報表示用液晶パネル１８とが設けられている。モード設定ダイヤル１７は、回動自在とされており、特定の位置で回動を停止することで、カメラ２を撮影モード，撮影画像鑑賞モード，データ転送モード，設定モード等に切り換える。情報表示用液晶パネル１８は、撮影枚数や電源電池の状態等のカメラ２の各種情報を表示する。
【００１６】
カメラ２の上面中央部には、ストロボ発光部２０が設けられている。このストロボ発光部２０は、ストロボ不使用時にはカメラ２内に収納されている。また、ストロボ撮影時には上方にポップアップされ、発光面２０ａを被写体に向けて露呈する。ストロボ発光部２０の側方には、収納状態にあるストロボ発光部２０をポップアップさせるポップアップボタン２１が設けられている。
【００１７】
ストロボ発光部２０の後方には、アクセサリーシュー２３が設けられている。このアクセサリーシュー２３には、外付けのストロボ装置等が取り付けられる。また、アクセサリーシュー２３にはシンクロ接点が設けられているため、取り付けられたストロボ装置をシャッタレリーズに連動して発光させることができる。
【００１８】
カメラ２のグリップ部１３が設けられているのとは反対側の側面には、ジャックカバー部材２５が取り付けられている。このジャックカバー部材２５は、カメラ２を保持する際のグリップとして機能するとともに、図３に示すように、撮影した画像データをデジタル出力するデジタル出力用ジャック２６ａ，コンポジット信号等でアナログ出力するビデオ出力ジャック２６ｂ，電源アダプタが接続される電源ジャック２６ｃが設けられたジャック部２６を覆い隠す。
【００１９】
図３は、カメラ２の構成を示す分解斜視図である。カメラ２は、レンズ鏡筒４やモード設定ダイヤル１７，情報表示用液晶パネル１８，画像表示用液晶パネル（図示せず），撮像用のＣＣＤやシャッタユニット等の各種撮影機能部品がフレーム部材に組み込まれたカメラ本体２８と、このカメラ本体２８の前面側と背面側とを覆ってカメラ２の外観デザインを構成する前面カバーユニット２９及び背面カバーユニット３０とからなる。
【００２０】
図４は、前面カバーユニット２９の構成を示す分解斜視図である。前面カバーユニット２９は、前面カバー３２と、この前面カバー３２の前面に取り付けられるリングベース部材３３と、化粧リング１０と、グリップ部材３４と、ジャックカバー部材２５と、シャッタボタン１５と、ストロボユニット３５と、電池蓋１４と、保護プレート３６，３７，３８とから構成されている。
【００２１】
前面カバー３２は、カメラ本体２８の前面と、上面，側面，底面の一部分とを覆う。前面カバー３２は、マグネシウムやアルミニウム等の軽量で高い剛性を有し、高級感のある金属で形成されている。前面カバー３２の前面には、レンズ鏡筒４を貫通させるレンズ用開口４０と、電池室を構成する電池室用開口４１と、対物側ファインダ窓６，測距用投光窓７，測光用受光窓８とが形成されている。また、レンズ用開口４０の外周には、円弧形状の突出部４２が設けられており、対物側ファインダ窓６と測距用受光窓７は、この突出部４２上に形成されている。前面カバー３２の上面には、モード設定ダイヤル１７や情報表示用液晶パネル１８，ストロボユニット３５等を露呈させるための切欠が形成されている。
【００２２】
外観構成部材であるリングベース部材３３は、プラスチックで形成されており、レンズ鏡筒４を通過させるために略筒形状とされている。このリングベース部材３３は、前面カバー３２に固着され、レンズ用開口４０の外周を覆い隠すベース部３３ａと、このベース部３３ａの先端に設けられ、化粧リング１０が取り付けられる鏡筒部３３ｂとからなる。前述の解除ボタン１１は、リングベース部材３３に設けられている。
【００２３】
また、リングベース部材３３の内壁面には、カメラ２内に向けて突出されたリブ４４が一体に形成されている。このリブ４４は、前面カバー３２のレンズ用開口４０に連なって形成された切欠４５を通してカメラ２内に進入し、カメラ本体２８に組み込まれる回路基板等の機能部品を押さえる。このリブ４４は細長いため、金属製の前面カバー３２と一体に形成するとショートモールドが発生したり、離型時に折れてしまう等の成形不良が発生することが多く、前面カバー３２の製造効率を悪化させるものであった。しかしながら、リブ４４を外観構成部材であるリングベース部材３３に一体に形成することで、前面カバー３２の成形不良の発生率を大幅に低減することができる。
【００２４】
グリップ部材３４は、プラスチックで形成されており、前面カバー３２のグリップ部の外面と、電池室の内壁とを構成する外観構成部材である。このグリップ部材３４は、前面カバー３２に係合爪３４ａ，３４ｂによって固着される。また、グリップ部材３４の側面部分は、前面カバー３２のグリップ部１３側の側面のほぼ全域を覆う。
【００２５】
ジャックカバー部材２５は、カメラ２を保持した際のグリップとしての機能と、背面カバーユニット３０の側面に設けられたジャック部２６を覆い隠す機能とを有する外観構成部材である。このジャックカバー部材２５は、例えばゴムやエラストマー等の柔軟な材質で形成されており、カメラ２の側面のほぼ全域を覆うように前面カバー３２に固着される。背面カバーユニット３０のジャック部２６を覆い隠す部分は、必要に応じて捲り上げられることでジャック部２６を露呈させる。
【００２６】
ストロボユニット３５は、放電管や拡散板，外装部材等からなる前述のストロボ発光部２０と、このストロボ発光部２０を回動自在に保持するストロボベース部材４７とからなる。ストロボベース部材４７が前面カバー３２の内壁面に取り付けられることで、ストロボ発光部２０がカメラ２の上面に固定される。なお、ストロボベース部材４７には、前述したポップアップボタン２１と、このポップアップボタン２１の押圧に連動してストロボ発光部２０をポップアップさせるポップアップ機構とが組み込まれており、ポップアップボタン２１は前面カバー３２の上面に設けられた穴３２ａから外部に露呈される。
【００２７】
外観構成部材である保護プレート３６，３７，３８は、透明あるいは半透明なプラスチック、例えばアクリル板等で形成されており、それぞれが取り付けられる対物側ファインダ窓６，測距用投光窓７，測光用受光窓８の形状に合わせて、蒲鉾形状，円形，長円形とされている。図５に示すように、対物側ファインダ窓６，測距用投光窓７，測光用受光窓８には、カメラ２内部に通じる開口６ａ，７ａ，８ａがそれぞれ形成されている。各保護プレート３６，３７，３８は、各開口６ａ，７ａ，８ａよりも大きく形成されており、開口６ａ，７ａ，８ａとこれらの開口の周囲とを覆うようになっている。
【００２８】
上記前面カバー３２は、チクソモールド法やダイカスト法等の射出成形によって形成される。図５は、射出成形直後の前面カバー３２の状態を示す正面図である。前面カバー３２の右方に配置されている略Ｔ字形状の符合４９は、金型内に溶融された金属が流し込まれるゲート側のランナーであり、前面カバー３２の左方に配置されているのは、金型内から溢れた金属を収容するオーバーフロー側のランナー５０，５１である。これらゲート側ランナー４９とオーバーフロー側ランナー５０，５１は、射出成形後に前面カバー３２から取り除かれる。
【００２９】
ゲート側ランナー４９の形状から分かるように、金型のゲート部に流し込まれた金属は、二つの湯道を通って前面カバー３２の金型内に流れ込む。そのため、レンズ用開口４０や電池室用開口４１，対物側ファインダ窓６，測距用投光窓７，測光用受光窓８等を形成する際には、開口の両側から金属が回り込み、開口の湯流れ方向の下流側で、両側から回り込んだ金属がぶつかる。その際に、溶融金属の温度が若干低下しているため、ぶつかり合った金属同士の間に湯ジワと呼ばれる成形不良４０ａ，４１ａ，６ｂ，７ｂ，８ｂが発生してしまう。
【００３０】
従来の射出成形品では、ランナーが取り除かれた跡や湯ジワ等の成形不良部分は、プレス加工やフライス加工等の仕上げ加工を行って、外観品質を向上させていた。しかしながら、本実施形態のカメラ２では、レンズ用開口４０の湯ジワ４０ａはリングベース部材３３で隠し、電池室用開口４１の湯ジワ４１ａとオーバーフロー部の跡とはグリップ部材３４で隠し、ゲート部の跡はジャックカバー部材２５で隠し、対物側ファインダ窓６，測距用投光窓７，測光用受光窓８の湯ジワ６ｂ，７ｂ，８ｂは保護プレート３６，３７，３８で隠している。そのため、射出成形後の前面カバー３２の仕上げ加工を省略することができ、前面カバー３２の製造コストを低減させることができる。
【００３１】
図６に分解して示すように、背面カバーユニット３０は、前面カバー３２と同様に金属で形成された背面カバー５４と、この背面カバー５４の一方の側面に取り付けられるカードスロット用蓋部材５５と、アクセサリーシュー２３を構成する接点プレート５６，保持プレート５７，板バネ部材５８とからなる。
【００３２】
背面カバー５４は、カメラ本体２８の背面と、上面，側面，底面の一部分とを覆う。背面カバー５４は、前面カバー３２と同様にマグネシウムやアルミニウム等の軽量で高い剛性を有し、高級感のある金属で形成されている。背面カバー５４の背面には、カメラ本体２８の背面に組み込まれている画像表示用液晶パネルを外部に露呈させる略矩形形状の液晶パネル用開口６０と、撮影時や画像観察時の各種設定に使用するスイッチの操作ボタンを露呈させるためのスイッチ用開口６１と、対物側ファインダ窓６に連なる接眼側ファインダ窓６２等が設けられている。
【００３３】
背面カバー５４の上面には、モード設定ダイヤル１７や情報表示用液晶パネル１８，ストロボユニット３５等を露呈させるための切欠と、接点プレート５６及び保持プレート５７とが取り付けられるシュー取付け部６４が形成されている。また、背面カバー５４の一方の側面には、前述したジャック部２６が形成されており、他方の側面には撮影した画像データが記録されるメモリカードが抜き差しされるメモリカードスロット６５が設けられている。
【００３４】
カードスロット用蓋部材５５は、背面カバー５４の外観形状に沿う曲面を備えた薄板形状とされており、メモリカードスロット６５を外部に露呈させる開放位置と、メモリカードスロット６５を覆い隠す閉鎖位置との間で回動自在とされている。図面の煩雑化を避けるために図示しないが、カードスロット用蓋部材５５はバネによって常時閉鎖位置に付勢されており、必要時にのみバネ付勢に抗して開放位置に回動される。
【００３５】
接点プレート５６は、プラスチックで板形状に形成されており、中央部に金属製の接点端子６７が組み込まれている。接点端子６７の下部には、端部にコネクタ６８が取り付けられた第１の電線６９が取り付けられており、コネクタ６８からは円環形状の端子部材７０が取り付けられた第２の電線７１が突出されている。これらの電線６９，７１は、シュー取付け部６４の中央に形成された開口６４ａからカメラ２内に収納され、カメラ本体２８に組み込まれた回路基板に接続される。接点端子６７の外周には、接点プレート５６をシュー取付け部６４のネジ穴６４ｂに取り付けるための２個の穴５６ａと、２個の切欠５６ｂとが形成されている。
【００３６】
保持プレート５７は、金属薄板が屈曲されて形成されており、接点プレート５６の接点端子６７を露呈させる切欠５７ａが形成された平面部５７ｂと、断面が略コ字形状となるように屈曲され、ストロボ装置等が差し込まれるレール部５７ｃと、第２の電線７１の端子部材７０が固着される接点部５７ｄとからなる。平面部５７ｂの切欠５７ａの外周には、接点プレート５６の穴５６ａ及び切欠５６ｂに合致する位置に、４個の穴５７ｅが形成されている。接点プレート５６と保持プレート５７とを背面カバー５４に取り付けるネジは、穴５７ｅから挿入される。
【００３７】
板バネ部材５８は、保持プレート５７のレール部５７ｃ内に配置され、レール部５７ｃの内壁とともにストロボ装置等の接続部を挟み込んで保持する板バネ部５８ａと、保持プレート５７の平面部５７ｂを覆い隠すとともに、接点プレート５６の接点端子６７を露呈させる切欠５８ｂが形成された外装面５８ｃとからなる。この板バネ部材５８は、接点プレート５６と保持プレート５７とが背面カバー５４に取り付けられた後に、レール部５７ｃ内に挿入される。板バネ部材５８の外装面５８ｃの先端と後端とには、保持プレート５７の平面部５７ｂに係合するように折り返されているため、レール部５７ｃの内壁面に圧接する板バネ部５８ａの作用と相まって、保持プレート５７から外れることはない。このように、カメラ２を使用するユーザーにとって最も目にする機会の多いカメラ２の上面の取付けネジを板バネ部材５８で隠すようにしたので、カメラ２の外観品質を向上させることができる。
【００３８】
背面カバー５４は、前面カバー３２と同様にチクソモールド法やダイカスト法等の射出成形によって形成される。図７は、射出成形直後の背面カバー５４の状態を示す正面図である。背面カバー５４の左方に配置されている略Ｔ字形状の符合７３は、金型内に溶融された金属が流し込まれるゲート側のランナーであり、背面カバー５４の右方に配置されているのは、金型内から溢れた金属を収容するオーバーフロー側のランナー７４，７５である。これらゲート側ランナー７３とオーバーフロー側ランナー７４，７５は、射出成形後に背面カバー５４から取り除かれる。
【００３９】
ゲート側ランナー７３の形状から分かるように、金型のゲート部に流し込まれた金属は、二つの湯道を通って背面カバー５４の金型内に流れ込む。そのため、開口の湯流れ方向の下流側には、湯ジワが形成されてしまう。特に、液晶パネル用開口６０のような矩形形状の大きな開口では金属の回り込みが悪くなるため、深く長い湯ジワが発生しやすく、射出成形後の仕上げ加工でも消すことが難しいという問題がある。これを解決するために本実施形態のカメラでは、液晶パネル用開口６０は、射出成形後に打ち抜き加工等によって形成するようにしている。なお、図７のＡ−Ａ断面である図８に示すように、射出成形後の打ち抜き加工を行いやすくするために、射出成形時に液晶パネル用開口６０が形成される位置に、液晶パネル用開口６０の輪郭に沿って凹部７７を形成している。
【００４０】
また、背面カバー５４の両側面は、前面カバーユニット２９を構成するグリップ部材３４とジャックカバー部材２５とで覆われるため、ゲート部とオーバーフロー部との仕上げ加工を省略することができる。これによれば、背面カバー５４の製造コストを低減することができる。
【００４１】
図９は、カメラ２の底面図である。カメラ２の底面では、内蔵する部品の配置に合わせたり、金型の型割り形状の都合，前面カバー３２と背面カバー５４との勘合性を高める等の理由から、前面カバー３２と背面カバー５４との合わせ目が段違いに形成されている。
【００４２】
前面カバー３２，背面カバー５４ともに、射出成形時には溶融金属は図中左方のゲートから右方のオーバーフローへと流れるが、溶融された金属は、合わせ目の段差部分３２ｂ，５４ａを通り過ぎる際に、図中２点鎖線で示すような渦を発生させてしまい、この渦の中央部に金属が充分に流れ込まなくなり、ピンホールや凹部等が形成されてしまうことがある。従来では、ピンホールや凹部はパテで埋める等して仕上げ加工を行っていたが、この仕上げ加工は前面カバー３２及び背面カバー５４のコストを上昇させるという問題があった。
【００４３】
そこで、本実施形態のカメラでは、湯流れ方向に直交する方向に沿う前面カバー３２と背面カバー５４との合わせ目である段差部分３２ｂ，５４ａを、湯流れ方向に直交する方向に対してθ°、例えば５°以上傾斜して設けるようにしている。これによれば、射出成形時の溶融金属に渦が発生しにくくなり、凹部やピンホール等の成形不良が発生することがないため、仕上げ加工を省略して前面カバー３２と背面カバー５４との製造コストを低減することができる。
【００４４】
なお、上記実施形態では、背面カバー５４の液晶パネル用開口６０の輪郭に沿って凹部７７を形成するようにしたが、図１０、及び図１０のＢ−Ｂ断面である図１１に示すように、液晶パネル用開口６０の湯流れ方向の上流側に部分的にスリット７９を形成し、湯流れ方向に沿う両辺にはスリット８０を形成し、湯流れ方向に直交する辺には薄肉化された凹部８１を形成してもよい。これによれば、溶融金属の流れ込みを悪化させることなく、射出成形後の打ち抜き加工をより容易に行うことができる。
【００４５】
なお、上記実施形態では、カメラの底面の合わせ目のみに傾斜を形成したが、その他の面の合わせ目にも傾斜を設けてもよい。また、電子スチルカメラを例に説明したが、本発明は、写真フイルムを使用するスチルカメラやビデオカメラ等にも適用することができる。また、カメラ以外に、金属製のカバーを使用する各種機器にも使用することができる。
【図面の簡単な説明】
【００４６】
【図１】本発明を実施したカメラの不撮影状態を示す外観斜視図である。
【図２】カメラの撮影状態を示す外観斜視図である。
【図３】カメラの構成を示す分解斜視図である。
【図４】前面カバーユニットの構成を示す分解斜視図である。
【図５】射出成形直後の前面カバーの状態を示す正面図である。
【図６】背面カバーユニットの構成を示す分解斜視図である。
【図７】射出成形直後の背面カバーの状態を示す正面図である。
【図８】射出成形時の液晶パネル用開口形成部位の状態を示す要部断面図である。
【図９】カメラの底面図である。
【図１０】別の実施形態における射出成形直後の背面カバーの状態を示す正面図である。
【図１１】別の実施形態における射出成形時の液晶パネル用開口形成部位の状態を示す要部断面図である。
【符号の説明】
【００４７】
２  電子スチルカメラ
２５  ジャックカバー部材
２８  カメラ本体
２９  前面カバーユニット
３０  背面カバーユニット
３２  前面カバー
３３  リングベース部材
５４  背面カバー
７７，８１  凹部
７９，８０  スリット
３４  グリップ部材
３６，３７，３８  保護プレート
【図１】
2008097025.tif 000003
【図２】
2008097025.tif 000004
【図３】
2008097025.tif 000005
【図４】
2008097025.tif 000006
【図５】
2008097025.tif 000007
【図６】
2008097025.tif 000008
【図７】
2008097025.tif 000009
【図８】
2008097025.tif 000010
【図９】
2008097025.tif 000011
【図１０】
2008097025.tif 000012
【図１１】
2008097025.tif 000013